(57)【要約】      （修正有）【課題】ローラー又はコンベヤーの運転を通して、金属製又は樹脂製の棒材や円管を材料として回転させかつ送出して、焼入れかつ焼戻しをするセンターレス式の熱処理機において、材料の供給途絶に起因する回転及び送出の機能が停止し、加熱した機械内に残存した材料が溶解し、機械の損傷及び加工ミスを起因する事態の発生を防止する回転及び送出の機能を補完する節足管型装置を提供する。【解決手段】金属製又は樹脂製の円管を短小に輪切りにした節足管の一端をすり鉢状の凹型とし、かつ、他端を裾広がりの凸型とし、複数の節足管の多様な噛み合わせを可能にし、また、先端の節足管の凹部に鉛製又はステンレス製の球形の接続具を嵌め込み、これに鋼線を繋ぎ、多数の節足管の内部に鋼線を通して節足管を連結する。【選択図】図１
0003168640.tif 000002
【実用新案登録請求の範囲】
【請求項１】
ロ−ラー又はコンベヤーの運転を通して、金属製又は樹脂製の棒材や円管を回転しかつ送出して、焼入しかつ焼戻しをするセンターレス式熱処理機において、材料の棒材や円管の供給途絶によって、回転及び送出の機能が停止し、過熱した機械内に残存した材料が溶解し、機械の損傷及び加工ミスを起因する事態の発生を防止するために、金属製又は樹脂製の円管を短小に輪切りにした節足管の一端を擂り鉢状の凹型とし、かつ、他端を裾広がりの凸型とし、複数の節足管の多様な噛み合わせを可能にし、また、先端の節足管の凹部に鉛製又はステンレス製の球形の接続具を嵌め込み鋼線を繋ぎ、多数の節足管の内部に鋼線を通して節足管を連結した、回転及び送出の機能を補完する節足型装置。
【請求項２】
蝸牛状の縦巻込み形状とした円管の収納管に複数の節足管を配置し、また、これらの節足管を塞き止めるために設置した止め具を特徴とする請求項１項の節足型装置。
【請求項３】
材料の棒材や円管の途絶を察知し、収納管の止め具を開き、かつ、モーターを起動し、また、多数の節足管を機械内に押出し、かつ、棒材や円管をすべて送り出すと、節足管を収納管に引戻すためのセンサーを特徴とする請求項１項の節足型装置。
【考案の詳細な説明】
【技術分野】
【０００１】  この考案は、金属製又は樹脂製の棒材や円管の焼入及び焼戻の作業を処理するセンターレス式の熱処理機に配置し、材料の供給途絶に起因する回転及び送出機能の停止を防止するための、節足管型の補完装置に関するものである。
【背景技術】
【０００２】  金属製又は樹脂製の棒材や円管の表面を硬化して強度を高め、諸種の機器を構成する部材とするために、加熱及び冷却の作業工程を必要とする。棒材や円筒を焼入及び焼戻する作業は、熱処理機をもって処理する。【０００３】  熱処理機には、棒材や円管の両軸端面の中心部を固定する装置もあるが、ローラー又はコンベヤーの運転を通して棒材や円筒の回転及び送出をして、焼処理するセンターレス式の装置が一般的である。【０００４】  ところが、センターレス式の熱処理機において、棒材や円管といった材料の供給が途絶し、これらの回転及び送出の機能が停止すると、過熱状態にある機械内において、残存した材料が溶解し、機械の損傷や加工ミスを起因することになる。【０００５】  この問題を解決するために、従来、非加工材で模造した専用のダミーワークとして装置内に配置して残部となった材料を送り出す方式、または、長尺の棒をもって残部の材料を押出す方式が行われている。【０００６】  しかし、これらにはそれぞれ難点がある。前者は、多量のダミーワークを必要とするので、これらを機械内に配置して取出す作業が煩雑となり、また、後者は、長尺の棒であるので、その操作のために余分な空間が必要となるからである。
【考案の開示】
【考案が解決しようとする課題】
【０００７】  この考案が解決しようする問題点は、次の通りである。【０００８】  一つは、センターレス式の熱処理機において、金属製又は樹脂製の棒材や円管といった材料の供給途絶によって、これらの回転及び送出の機能が働かなくなり、機械内に材料を残存して運転を停止する事態の発生を防止する必要がある。【０００９】  二つは、センターレス式の熱処理機において、材料の供給途絶が起こっても、ダミーワークの操作のような煩雑な手間をかけるのではなく、簡単かつ容易な対応を通して、この機械の運転を続行できることが必要である。【００１０】  三つは、センターレス式の熱処理機において、材料の供給途絶が起こっても、長尺の棒の操作のような余分な空間をつくることなく、有効的な場所の利用を図って、この機械の運転を続行できることが必要である。
【課題を解決するための手段】
【００１１】  この考案が解決する手段は、次の通りである。【００１２】  先ず、ローラー又はコンベヤー（１３）の運転を通して、金属製又は樹脂製の棒材や円管（７）を材料として回転させかつ送出して、これらの材料（７）を焼入しかつ焼戻しするセンターレス式熱処理機（１１）である。【００１３】  次に、センターレス式熱処理機（１１）において、材料の棒材や鉛管（７）の供給途絶によって、回転及び送出の機能が停止し、過熱した機械内に残存した材料（７）が溶解して、機械の損傷及び加工ミスを起因する事態の発生を防止するための装置である。【００１４】  更に、金属製又は樹脂製の円管を短く輪切り状にした多数の節足管（２）であって、この一端を裾広がりの凸型（４）とし、かつ、他端を擂り鉢状の凹型（３）とし、また、一つの節足管（２）の凹部端面（３）と他の節足管（２）の凸部端面（４）を多様に噛み合わせる。【００１５】  更に、多数の節足管（２）の先端にある節足管（２）の凹部端面（３）に鉛製又はステンレス製の球形の接続具（５）を嵌め込み、また、この接続具（５）に鋼線（６）を繋ぎ、節足管（２）内に鋼線（６）を通して、多数の節足管（２）を連結する。【００１６】  更に、蝸牛状の縦巻込み形状をした収納管（８）内に多数の節足管（２）を配置し、また、節足管（２）を堰き止めるための止め具（９）を設置する。【００１７】  最後に、材料の棒材や円管（７）の途絶を察知したセンサー（１２）を通して、節足管（２）の止め具（９）が開き、かつ、モーター（１０）も起動し、ローラー（１３）の回転を通して多数の節足管（２）を機械内に押出し、また、残部の材料をすべて送出すと、ローラ−（１３）の反転によって、節足管（２）が収納管（８）に引き戻される。
【考案の効果】
【００１８】  この考案の効果は、次の通りである。【００１９】  先ず、この装置は、センターレス式熱処理機（１１）の運転にあたり、材料の棒材や円管（７）の供給が途絶したとしても、これらの回転及び送出の機能を補完し、熱処理の作業をそのまま続行できるので、効率の高い運転をすることができる。【００２０】  次に、この装置は、センターレス式熱処理機（１１）における回転及び送出の機能を補完するために、煩雑な手間をかけないので、簡単かつ容易に処理できるし、また、余分な空間を不要とするので、有効な場所利用ができる。【００２１】  最後に、この装置は、金属製の節足管（２）のみならず、樹脂製の節足管（２）をも準備し、収納管（８）内に配置することによって、節足管（２）の重量を軽くし、または、この装置の摩耗を少なくすることができる。
【最良の実施例】
【００２２】  この考案の最良の実施例は、次の通りである。
【００２３】  金属性又は樹脂製の棒材や円管（７）の焼入及び焼戻の作業を処理するセンターレス式熱処理機（１１）において、材料（７）の供給途絶に起因する回転及び送出し機能の停止を防止するために設置された、節足管型の補完装置（１）である。
【００２４】  裾広がりの凸型（４）を一端にしかつ擂鉢状の凹型（３）を他端にした金属製又は樹脂製の節足管（２）をそれぞれ噛み合わせて収納管（８）内に配置し、また、節足管（２）を堰き止める収納管の止め具（９）に配置された凹部端面（３）に球形の接続具（５）を配置し、これに鋼線（６）を繋ぎ、多数の節足管（２）内を通し連結する。
【００２５】  材料の途絶をセンサー（１２）が察知し、止め具（９）が開き、ローラー（１３）を通して、節足管（２）が押し出され、また、材料（７）の残部をすべて送り出すと、ローラー（１３）の反転によって、節足管（２）が収納管（８）に引き戻される。
【実施例】
【００２６】  この考案の実施例は、次の通りである。【００２７】  この考案は、金属製又は樹脂製の棒材や円管（７）の焼入及び焼戻をするセンターレス式熱処理機（１１）に付設して、材料（７）の供給途絶に起因する回転及び送出の機能の停止を防止するための、節足管型の補完装置（１）に関するものである。【００２８】  先ず、この装置（１）は、鋼線（ワイヤ）（６）を用いて連結した多数の節足管（２）から構成され、また、この装置（１）を稼動させるために、収納管（８）とモーター（１０）が配置されている。【００２９】  節足管（２）は、金属製又は樹脂製の円管を１０センチ前後に短く輪切りにした形状のもの、即ち、短円管である。節足管（２）は、材料の棒材及び円管（７）の直径に対応して、それぞれ異なった直径のものを用意する。【００３０】  節足管（２）は、裾広がり状の凸型（４）を一方の端面とし，かつ、擂鉢状の凹型（３）を他方の端面として形成される。一つの節足管（２）の凹部端面（３）に対し、他の節足管の凸部端面（４）を噛み合わせる。凹部（３）と凸部（４）の離合によって、多様な噛み合わせが可能となる。【００３１】  鋼線（６）は、多数の節足管（２）をそれぞれ連結するために、節足管（２）の内部に通されたものである。この鋼線（６）の先端には、鉛製又はステンレス製の球形をした接続具（ボールシャンク）（５）を繋ぎ、節足管（２）の凹部端面（３）に嵌め込む。【００３２】  収納管（８）は、多数の節足管（２）を内部に収容し、また、余分な空間を排除するために、二重あるいはそれ以上の蝸牛状に縦巻きにして、センターレス式熱処理機（１１）に配置する。収納管（８）には、節足管（２）を堰き止める止め具（ストッパー）（９）を設置する。【００３３】  センターレス式熱処理機（１１）の運転にあたり、センサー（１２）の設置によって、材料（７）の供給途絶を察知すると、これに伴って、収納管（８）の止め具（９）が開き、節足管（２）を押し出し、また、節足管（２）を押し出す駆動モーター（１０）が起動する。【００３４】  次に、節足管（２）を本体とする装置（１）を稼働させるために配置された装置である。【００３５】  収納管（８）には、多数の短円管である節足管（２）を配置する。収納管（８）の止め具（９）の前に配置された節足管（２）の凹部端面（３）には、鋼線（６）の先端に繋いだ球形の接続具（５）を嵌め込み、また、多数の節足管（２）の内部に鋼線（６）を通してそれぞれ連結する。【００３６】  センターレス式熱処理機（１１）において、材料の棒材や円管（７）の供給が途絶すると、この事態の発生をセンサー（１２）が察知して、モーター（１０）を起動し、また、ローラー（１３）の回転を通して、多数の節足管（２）が自動的に出て来て、残部の材料（７）を送り出す。【００３７】  センターレス式熱処理機（１１）において、残部の材料（７）がすべて送り出されると、ローラー（１３）の反転によって、節足管（２）を収納管（８）の内部に引き戻しをする。
【図面の簡単な説明】
【００３８】
【図１】  本考案の節足管型補完装置を正面からみた断面図である。
【図２】  本考案の節足管型補完装置をセンターレス式熱処理機に配置した断面図である。
【図３】  本考案の節足管型補完装置をセンターレス式熱処理機に配置しかつこれを稼動させた状態の断面図である。
【符号の説明】
【００３９】  １    節足管型補完装置
２    節足管
３    凹型
４    凸型
５    球形接続具
６    鋼線
７    棒材・円管
８    収納管
９    止め具
１０    モーター
１１    センターレス式熱処理機
１２    センサー
１３    ローラー
１４    送出し
１５    引戻し
１６    材料の進行
【図１】
0003168640.tif 000003
【図２】
0003168640.tif 000004
【図３】
0003168640.tif 000005